(57)【要約】【課題】厚さ分布が異なる紙幣を集積する際に、集積した紙幣の上面高さをほぼ水平に保った状態で集積する手段を提供する。【解決手段】紙幣の金種を鑑別する鑑別部と、該鑑別部で鑑別された紙幣を金種ごとに集積する金種別カセットとを備えた紙幣取扱装置において、前記鑑別部で紙幣の向きを鑑別すると共に、同一金種の紙幣を集積する金種別カセットを複数設定し、前記金種の紙幣を集積するときに、前記複数設定した金種別カセットの前記鑑別部で鑑別した紙幣の向きと同じ向きの紙幣の集積枚数を比較し、前記集積枚数の最も少ない前記金種別カセットに前記鑑別した紙幣を集積する。【選択図】        図１
2005242685.tif 000002
【特許請求の範囲】
【請求項１】
紙幣の金種を鑑別する鑑別部と、該鑑別部で鑑別された紙幣を金種ごとに集積する金種別カセットとを備えた紙幣取扱装置において、
前記鑑別部で紙幣の向きを鑑別すると共に、同一金種の紙幣を集積する金種別カセットを複数設定し、
前記同一金種の紙幣を集積するときに、前記複数設定した金種別カセットの前記鑑別部で鑑別した紙幣の向きと同じ向きの紙幣の集積枚数を比較し、前記集積枚数の最も少ない前記金種別カセットに前記鑑別した紙幣を集積することを特徴とする紙幣取扱装置。
【請求項２】
紙幣の金種を鑑別する鑑別部と、該鑑別部で鑑別された紙幣を金種ごとに集積する金種別カセットとを備えた紙幣取扱装置において、
前記鑑別部で紙幣の向きを鑑別すると共に、同一金種の紙幣を集積する金種別カセットを複数設定し、
一の側に厚さの偏った紙幣を取扱う場合に、表裏上下を組み合わせた４方向の内、厚さの偏る側が同一の表裏２方向の紙幣を一組とし、前記複数設定した金種別カセットの前記鑑別部で鑑別した紙幣の向きを含む一組の紙幣の集積枚数を比較し、該集積枚数の最も少ない前記金種別カセットに前記鑑別した紙幣を集積することを特徴とする紙幣取扱装置。
【請求項３】
請求項２において、
前記一組の紙幣の集積枚数を比較したときに、前記集積枚数の最も少ない前記金種別カセットが複数ある場合は、前記一組の集積枚数が最も少ない複数の金種別カセットの前記鑑別部で鑑別した紙幣と同じ向きの紙幣の集積枚数を比較し、該同じ向きの紙幣の集積枚数が最も少ない前記金種別カセットに前記鑑別した紙幣を集積することを特徴とする紙幣取扱装置。
【発明の詳細な説明】
【技術分野】
【０００１】
本発明は、紙幣を搬送して金種ごとに集積する紙幣取扱装置に関する。
【背景技術】
【０００２】
従来の紙幣取扱装置は、接客部に投入された紙幣を搬送路により鑑別部へ搬送し、紙幣の金種、真偽を判別する。鑑別部で鑑別された紙幣はその金種ごとに設定された金種別カセットに集積される。（例えば、特許文献１参照。）。
【特許文献１】特開２０００−８２１６４号公報（第４頁右欄５０行目−第５頁左欄２行目、第１図）
【発明の開示】
【発明が解決しようとする課題】
【０００３】
近年の紙幣は、偽券対策として透かし、凹版印刷またセキュリティスレッド等の技術が導入され、紙幣の上下、左右で厚さの異なる部分が多数有り、紙幣の厚さ分布が異なってきている。
しかしながら、上述した従来の技術においては、紙幣は投入された向きのまま集積されるため、厚さ分布が異なる紙幣が同一方向で集積されることがあり、紙幣一枚一枚では厚さ分布の最も厚い部分と最も薄い部分の差は少ないが、金種別カセットでは数百から数千枚を集積するため、紙幣の厚さの差は非常に大きなものとなって集積した紙幣の上面高さが傾いてしまうことがあり、集積された紙幣を出金等のために繰出す際、繰出し不良や繰出された紙幣の斜行やジャム等の障害を起こす原因になるという問題がある。
【０００４】
本発明は、上記の問題点を解決するためになされたもので、厚さ分布が異なる紙幣を集積する際に、集積した紙幣の上面高さをほぼ水平に保った状態で集積する手段を提供することを目的とする。
【課題を解決するための手段】
【０００５】
本発明は、上記課題を解決するために、紙幣の金種を鑑別する鑑別部と、該鑑別部で鑑別された紙幣を金種ごとに集積する金種別カセットとを備えた紙幣取扱装置において、前記鑑別部で紙幣の向きを鑑別すると共に、同一金種の紙幣を集積する金種別カセットを複数設定し、前記金種の紙幣を集積するときに、前記複数設定した金種別カセットの前記鑑別部で鑑別した紙幣の向きと同じ向きの紙幣の集積枚数を比較し、前記集積枚数の最も少ない前記金種別カセットに前記鑑別した紙幣を集積することを特徴とする。
【発明の効果】
【０００６】
これにより、本発明は、同一金種の紙幣を複数の金種別カセットに集積する際に、同じ向きの紙幣が一つの金種別カセットに偏って集積されるのを防ぎ、集積した紙幣の上面高さが傾くのを防止することができるという効果が得られる。
【発明を実施するための最良の形態】
【０００７】
以下に、図面を参照して本発明による紙幣取扱装置の実施例について説明する。
【実施例１】
【０００８】
図１は実施例１の紙幣入出金機を示す概略図、図２は実施例１の紙幣入出金機を示すブロック図、図３は紙幣の向きを示す説明図である。
図１、図２において、１は紙幣取扱装置としての紙幣入出金機である。
２は接客部であり、顧客の紙幣Ｐの受入れや顧客への紙幣Ｐの払出しを行うと共に、紙幣Ｐを一枚づつ分離して搬送路３へ繰出す機能を有している。
【０００９】
３は搬送路であり、対向配置されたローラあるいはベルト等により構成され、紙幣Ｐを挟持して鑑別部４や金種別カセット６、７、８へ搬送する。
鑑別部４は、接客部２から搬送路３により搬送された紙幣Ｐの真偽、正損、金種等を鑑別する他、画像認識等により紙幣Ｐの向きを鑑別する。
本実施例では、図３（ａ）に示す表向きで上下の向きが正しい場合を表上方向、図３（ｂ）に示す表向きで上下の向きが逆向きの場合を表下方向、図３（ｃ）に示す裏向きで上下の向きが正しい場合を裏上方向、図３（ｄ）に示す裏向きで上下の方向が逆向きの場合を裏下方向と設定する。
【００１０】
５はセレクタであり、搬送路３により搬送された紙幣Ｐを金種別カセット６、７、８に集積するときに、その搬送方向を切替える。
金種別カセット６、７、８は、鑑別部４で鑑別された紙幣Ｐを設定された金種ごとに集積する。
本実施例の金種別カセット６、７は同一金種の紙幣Ｐを集積し、金種別カセット８は金種別カセット６、７に集積する紙幣Ｐと異なる金種の紙幣Ｐを集積するよう設定されている。
【００１１】
９は制御部であり、紙幣入出金機１の各部の制御を行う。
１０、１１はそれぞれ制御部９が持つ第１カウンタ、第２カウンタであり、金種別カセット６、７に集積した紙幣Ｐの集積枚数を図３に示す表上方向、表下方向、裏上方向、裏下方向の向きに区分して記録しており、第１カウンタ１０は金種別カセット６に集積された紙幣Ｐの区分ごとの集積枚数を、第２カウンタ１１は金種別カセット７に集積された紙幣Ｐの区分ごとの集積枚数をそれぞれ記録している。
【００１２】
上述した構成の作用について説明する。
以下に、図４に示す実施例１の紙幣集積処理を示すフローチャートを用い、Ｓで示すステップに従って説明する。
本実施例では厚さ分布が異なる紙幣を同じ向きで集積した場合に起こる上面高さの傾きを防止するための動作を示している。
【００１３】
Ｓ１、制御部９は接客部２に投入された紙幣Ｐを一枚づつ分離して搬送路３へ繰出し、鑑別部４へ搬送して鑑別部４に紙幣Ｐの鑑別指示を送信し、鑑別指示を受信した鑑別部４は搬送された紙幣Ｐの向きや金種等を鑑別してその鑑別結果を制御部９へ送信する。
Ｓ２、鑑別結果を受信した制御部９は金種別カセット６、７に設定されている金種の紙幣Ｐの向きが表上方向であった場合はステップＳ３へ分岐し、表下方向であった場合はステップＳ８へ分岐し、裏上方向であった場合はステップＳ１３へ分岐し、裏下方向であった場合はステップＳ１８へ分岐する。
【００１４】
Ｓ３、紙幣Ｐの向きが表上方向であると認識した制御部９は、第１カウンタ１０と第２カウンタ１１に記録されている表上方向の紙幣Ｐの集積枚数を比較し、第１カウンタ１０に記録されている集積枚数が第２カウンタ１１に記録されている集積枚数より少ない場合、つまり金種別カセット６に集積されている表上方向の紙幣Ｐの集積枚数が金種別カセット７に集積されている表上方向の紙幣Ｐの集積枚数より少ない場合は紙幣Ｐを金種別カセット６に集積すると判断してステップＳ４へ分岐し、第１カウンタ１０の集積枚数が第２カウンタ１１の集積枚数以上の場合、つまり金種別カセット６に集積されている表上方向の紙幣Ｐの集積枚数が金種別カセット７に集積されている表上方向の紙幣Ｐの集積枚数以上の場合は紙幣Ｐを金種別カセット７に集積すると判断してステップＳ６へ移行する。
【００１５】
Ｓ４、紙幣Ｐを金種別カセット６に集積すると認識した制御部９は、紙幣Ｐを搬送路３により搬送し、セレクタ５により搬送方向を切替えて金種別カセット６に集積する。
Ｓ５、制御部９は金種別カセット６に紙幣Ｐを集積したら第１カウンタ１０に記録されているその紙幣Ｐと同じ向き、つまり表上方向の集積枚数に１を加算する。
Ｓ６、紙幣Ｐを金種別カセット７に集積すると認識した制御部９は、紙幣Ｐを搬送路３により搬送し、セレクタ５により搬送方向を切替えて金種別カセット７に集積する。
【００１６】
Ｓ７、制御部９は金種別カセット７に紙幣Ｐを集積したら第２カウンタ１１に記録されているその紙幣Ｐと同じ向き、つまり表上方向の集積枚数に１を加算する。
Ｓ８、紙幣Ｐの向きが表下方向であると認識した制御部９は、ステップＳ３と同様にして金種別カセット６と金種別カセット７の表下方向の紙幣Ｐの集積枚数を比較し、金種別カセット６の表下方向の紙幣Ｐの集積枚数が金種別カセット７の集積枚数より少ない場合は紙幣Ｐを金種別カセット６に集積すると判断してステップＳ９へ分岐し、金種別カセット６の表下方向の紙幣Ｐの集積枚数が金種別カセット７の集積枚数以上の場合は紙幣Ｐを金種別カセット７に集積すると判断してステップＳ１１へ移行する。
【００１７】
Ｓ９、紙幣Ｐを金種別カセット６に集積すると認識した制御部９は、ステップＳ４と同様にして紙幣Ｐを金種別カセット６に集積する。
Ｓ１０、制御部９はステップＳ５と同様にして金種別カセット６に紙幣Ｐを集積したら第１カウンタ１０に記録されているその紙幣Ｐと同じ向き、つまり表下方向の集積枚数に１を加算する。
【００１８】
Ｓ１１、紙幣Ｐを金種別カセット７に集積すると認識した制御部９はステップＳ６と同様にして紙幣Ｐを金種別カセット７に集積する。
Ｓ１２、制御部９はステップＳ７と同様にして金種別カセット７に紙幣Ｐを集積したら第２カウンタ１１に記録されているその紙幣Ｐと同じ向き、つまり表下方向の集積枚数に１を加算する。
【００１９】
Ｓ１３、紙幣Ｐの向きが裏上方向であると認識した制御部９はステップＳ３と同様にして金種別カセット６と金種別カセット７の裏上方向の紙幣Ｐの集積枚数を比較し、金種別カセット６の裏上方向の紙幣Ｐの集積枚数が金種別カセット７の集積枚数より少ない場合は紙幣Ｐを金種別カセット６に集積すると判断してステップＳ１４へ分岐し、金種別カセット６の裏上方向の紙幣Ｐの集積枚数が金種別カセット７の集積枚数以上の場合は紙幣Ｐを金種別カセット７に集積すると判断してステップＳ１６へ移行する。
【００２０】
Ｓ１４、紙幣Ｐを金種別カセット６に集積すると認識した制御部９は、ステップＳ４と同様にして紙幣Ｐを金種別カセット６に集積する。
Ｓ１５、制御部９はステップＳ５と同様にして金種別カセット６に紙幣Ｐを集積したら第１カウンタ１０に記録されているその紙幣Ｐと同じ向き、つまり裏上方向の集積枚数に１を加算する。
【００２１】
Ｓ１６、紙幣Ｐを金種別カセット７に集積すると認識した制御部９は、ステップＳ６と同様にして紙幣Ｐを金種別カセット７に集積する。
Ｓ１７、制御部９はステップＳ７と同様にして金種別カセット７に紙幣Ｐを集積したら第２カウンタ１１に記録されているその紙幣Ｐと同じ向き、つまり裏上方向の集積枚数に１を加算する。
【００２２】
Ｓ１８、紙幣Ｐの向きが裏下方向であると認識した制御部９はステップＳ３と同様にして金種別カセット６と金種別カセット７の裏下方向の紙幣Ｐの集積枚数を比較し、金種別カセット６の裏下方向の紙幣Ｐの集積枚数が金種別カセット７の集積枚数より少ない場合は紙幣Ｐを金種別カセット６に集積すると判断してステップＳ１９へ分岐し、金種別カセット６の裏下方向の紙幣Ｐの集積枚数が金種別カセット７の集積枚数以上の場合は紙幣Ｐを金種別カセット７に集積すると判断してステップＳ２１へ移行する。
【００２３】
Ｓ１９、紙幣Ｐを金種別カセット６に集積すると認識した制御部９は、ステップＳ４と同様にして紙幣Ｐを金種別カセット６に集積する。
Ｓ２０、制御部９はステップＳ５と同様にして金種別カセット６に紙幣Ｐを集積したら第１カウンタ１０に記録されているその紙幣Ｐと同じ向き、つまり裏下方向の集積枚数に１を加算する。
【００２４】
Ｓ２１、紙幣Ｐを金種別カセット７に集積すると認識した制御部９は、ステップＳ６と同様にして紙幣Ｐを金種別カセット７に集積する。
Ｓ２２、制御部９はステップＳ７と同様にして金種別カセット７に紙幣Ｐを集積したら第２カウンタ１１に記録されているその紙幣Ｐと同じ向き、つまり裏下方向の集積枚数に１を加算する。
【００２５】
このようにして、鑑別部４で鑑別された紙幣Ｐは同じ向きの紙幣Ｐの集積枚数の少ない金種別カセットに集積される。
以上説明したように、本実施例では、同一金種の紙幣を２つの金種別カセットに集積する際、鑑別部により紙幣の向きを鑑別し、その鑑別された紙幣の向きに基づいて集積する金種別カセットを決定することにより、同じ向きの紙幣が偏って集積されるのを防ぐことができ、集積した紙幣の上面高さが傾くのを防止して、集積した紙幣を分離、搬送する際の、繰出し不良等の障害を防止することができる。
【実施例２】
【００２６】
海外紙幣等には偽造防止のためのセキュリティスレッドと呼ばれる金属線を紙幣の中心から左右どちらかの側に寄せて短手方向に一直線に漉き込まれている場合があり、これにより紙幣の左右の一の側に厚さが偏っているものがある。本実施例では左右の一の側に厚さが偏った紙幣を集積したときに起こる上面高さの傾きを防止するための動作について説明する。
【００２７】
なお、上記実施例１と同様の部分は、同一の符号を付してその説明を省略する。
上記の構成の作用について、図５に示す実施例２の紙幣集積処理を示すフローチャートを用い、ＳＡで示すステップに従って説明する。
本実施例では、図３に示す表上方向と裏下方向または表下方向と裏上方向、つまり厚さの偏った側が同一になる表裏２方向の紙幣Ｐを一組として金種別カセット６または金種別カセット７に集積する紙幣Ｐを決定する。
【００２８】
ＳＡ１、制御部９は、接客部２に紙幣Ｐが投入されたら上記実施例１のステップＳ１と同様にして紙幣Ｐを鑑別部４へ搬送し、鑑別部４はその鑑別結果を制御部９へ送信する。
ＳＡ２、鑑別結果を受信した制御部９は、金種別カセット６、７に設定されている金種の紙幣Ｐの向きが表上方向または裏下方向の場合はステップＳＡ３へ分岐し、紙幣Ｐの向きが表下方向または裏下方向の場合はステップＳＡ９へ移行する。
【００２９】
ＳＡ３、紙幣Ｐの向きが表上方向または裏下方向であると認識した制御部９は、第１カウンタ１０と第２カウンタ１１に記録されている表上方向および裏下方向の紙幣Ｐのそれぞれの集積枚数を加えた合計集積枚数を比較し、第１カウンタ１０の合計集積枚数が第２カウンタ１１の合計集積枚数以上の場合、つまり金種別カセット６の表上方向および裏下方向の紙幣Ｐの合計集積枚数が金種別カセット７の合計集積枚数以上の場合はステップＳＡ４へ分岐し、第１カウンタ１０に記録されている合計集積枚数が第２カウンタ１１に記録されている合計集積枚数より少ない場合、つまり金種別カセット６の表上方向および裏下方向の紙幣Ｐの合計集積枚数が金種別カセット７の合計集積枚数より少ない場合は紙幣Ｐを金種別カセット６に集積すると判断してステップＳＡ６へ移行する。
【００３０】
ＳＡ４、金種別カセット６の表上方向および裏下方向の合計集積枚数が金種別カセット７の合計集積枚数以上と認識した制御部９は、金種別カセット６の表上方向および裏下方向の合計集積枚数が金種別カセット７の合計集積枚数と同じである場合はステップＳＡ５へ分岐し、金種別カセット６の合計集積枚数が金種別カセット７の合計集積枚数より多い場合は紙幣Ｐを金種別カセット７に集積すると判断してステップＳＡ８へ移行する。
【００３１】
ＳＡ５、金種別カセット６と金種別カセット７の表上方向および裏下方向の合計集積枚数が同じであると認識した制御部９は、第１カウンタ１０と第２カウンタ１１に記録されているステップＳＡ１で鑑別した紙幣Ｐと同じ向きの集積枚数、つまり鑑別結果が表上方向であれば表上方向の、裏下方向であれば裏下方向の集積枚数を比較し、例えば鑑別結果が表上方向であったときは、第１カウンタ１０の表上方向の集積枚数が第２カウンタ１１の集積枚数より少ない場合、つまり金種別カセット６の表上方向の紙幣Ｐの集積枚数が金種別カセット７の集積枚数より少ない場合は紙幣Ｐを金種別カセット６に集積すると判断してステップＳＡ６へ分岐し、第１カウンタ１０の表上方向の集積枚数が第２カウンタ１１の集積枚数以上の場合、つまり金種別カセット６の表上方向の紙幣Ｐの集積枚数が金種別カセット７の集積枚数以上の場合は紙幣Ｐを金種別カセット７に集積すると判断してステップＳＡ８へ移行する。
【００３２】
なお、鑑別結果が裏下方向であった場合も同様である。
ＳＡ６、紙幣Ｐを金種別カセット６に集積すると認識した制御部９は、紙幣Ｐを搬送路３により搬送し、セレクタ５により搬送方向を切替えて金種別カセット６に集積する。
ＳＡ７、制御部９は紙幣Ｐを金種別カセット６に集積したら第１カウンタ１０に記録されているその紙幣Ｐと同じ向き、つまり鑑別結果が表上方向なら表上方向、裏下方向なら裏下方向の枚数に１を加算する。
【００３３】
ＳＡ８、紙幣Ｐを金種別カセット７に集積すると認識した制御部９は紙幣Ｐを搬送路３により搬送してセレクタ５により搬送方向を切替えて金種別カセット７に集積する。
ＳＡ９、制御部９は紙幣Ｐを金種別カセット７に集積したらステップＳＡ７と同様にして、第２カウンタ１１に記録されているその紙幣Ｐと同じ向きの枚数に１を加算する。つまり表上方向または裏下方向の枚数に１を加算する。
【００３４】
ＳＡ１０、紙幣Ｐの向きが表下方向または裏上方向であると認識した制御部９は、ステップＳＡ３と同様にして金種別カセット６と金種別カセット７の表下方向および裏上方向の紙幣Ｐの合計集積枚数を比較し、金種別カセット６の表下方向および裏上方向の紙幣Ｐの合計集積枚数が金種別カセット７の合計集積枚数以上の場合はステップＳＡ１１へ分岐し、金種別カセット６の表下方向および裏上方向の紙幣Ｐの合計集積枚数が金種別カセット７の合計集積枚数より少ない場合は紙幣Ｐを金種別カセット６に集積すると判断してステップＳＡ１３へ移行する。
【００３５】
ＳＡ１１、金種別カセット６の表下方向および裏上方向の紙幣Ｐの合計集積枚数が金種別カセット７の合計集積枚数以上と認識した制御部９は、ステップＳＡ４と同様にして金種別カセット６の表下方向および裏上方向の紙幣Ｐの合計集積枚数が金種別カセット７の合計集積枚数と同じである場合はステップＳＡ１２へ分岐し、金種別カセット６の表下方向および裏上方向の紙幣Ｐの合計集積枚数が金種別カセット７の合計集積枚数より多い場合は紙幣Ｐを金種別カセット７に集積すると判断してステップＳＡ１５へ移行する。
【００３６】
ＳＡ１２、金種別カセット６と金種別カセット７の表下方向および裏上方向の合計集積枚数が同じであると認識した制御部９は、ステップＳＡ５と同様にして金種別カウンタ６と金種別カウンタ７に集積されているステップＳＡ１の鑑別結果と同じ向きの紙幣Ｐの集積枚数、つまり鑑別結果が表下方向であれば表下方向の、裏上方向であれば裏上方向の集積枚数を比較し、例えば鑑別結果が表下方向であったときは、金種別カセット６の表下方向の紙幣Ｐの集積枚数が金種別カセット７の集積枚数より少ない場合は紙幣Ｐを金種別カセット６に集積すると判断してステップＳＡ１３へ分岐し、金種別カセット６の表下方向の紙幣Ｐの集積枚数が金種別カセット７の集積枚数以上の場合は紙幣Ｐを金種別カセット７に集積すると判断してステップＳＡ１５へ移行する。
【００３７】
なお、鑑別結果が裏上方向であった場合も同様である。
ＳＡ１３、紙幣Ｐを金種別カセット６に集積すると認識した制御部９は、ステップＳＡ６と同様にして紙幣Ｐを金種別カセット６に集積する。
ＳＡ１４、制御部９は、紙幣Ｐを金種別カセット６に集積したらステップＳＡ７と同様にして第１カウンタ１０に記録されている紙幣Ｐと同じ向き、つまり表下方向または裏上方向の枚数に１を加算する。
【００３８】
ＳＡ１５、紙幣Ｐを金種別カセット７に集積すると認識した制御部９は、ステップＳＡ８と同様にして紙幣Ｐを金種別カセット７に集積する
ＳＡ１６、制御部９は、紙幣Ｐを金種別カセット７に集積したらステップＳＡ９と同様にして第２カウンタ１１に記録されている紙幣Ｐと同じ向きの枚数に１を加算する。つまり表下方向または裏上方向の枚数に１を加算する。
【００３９】
このようにして、左右の一の側に厚さが偏った紙幣Ｐは、厚さの偏った側が同一の表裏２方向の紙幣Ｐの集積枚数の少ない金種別カセットに集積される。
以上説明したように、本実施例では、左右の一の側に厚さが偏った同一金種の紙幣を２つの金種別カセットに集積する際、鑑別部により紙幣の向きを鑑別し、その鑑別された紙幣の左右の向きに基づいて集積する金種別カセットを決定することにより、左右の一の側に厚さが偏った紙幣が偏って集積されることを防止し、上面高さの傾きを小さくして集積した紙幣を分離、搬送する際の繰出し不良等の障害を防止することができる。
【００４０】
また、集積する紙幣と左右の一の側に厚さが偏った紙幣の枚数が２つの金種別カセットで同枚数のときは、集積する紙幣と同じ向きの紙幣の枚数を２つの金種別カセットごとに枚数を比較し、枚数の少ない金種別カセットに集積することにより、紙幣の４隅の印刷や、４隅の内の一箇所に設けられた視覚障害者が紙幣の識別をするための凹凸部等により同じ厚みにならない紙幣を集積するときに起こる上面高さの傾きを小さくし、集積した紙幣を分離、搬送する際の繰出し不良等の障害を防止することができる。
【００４１】
なお、上記実施例２では左右の一の側に厚さが偏った紙幣を集積する場合を例にして説明したが、紙幣に刷られた模様等の印刷により上下の一の側に厚さが偏った紙幣について適用しても同様の効果を得ることができる。この場合に、集積する金種別カセットを決定するための紙幣の向きは図３に示す表上方向と裏上方向または表下方向と裏下方向つまり厚さが偏った側が同一になる表裏２方向の紙幣Ｐを一組とすればよい。
【００４２】
また、上記実施例２では左右の一の側に厚さが偏る海外紙幣を例に説明したが、セキュリティスレッドが漉き込まれている商品券や小切手等の金券を種類別に集積する場合も同様である。
また、上記各実施例では、同一金種の紙幣を集積する金種別カセットが２個の場合について説明したが、同一金種の紙幣を集積する金種別カセットが３個以上の場合でもそれぞれの金種別カセットに集積した紙幣の集積枚数を向きに区分して記録するカウンタを設け、それぞれのカウンタの紙幣の向きの区分ごとの集積枚数を比較し、集積枚数の最も少ない金種別カセットに紙幣を集積すれば、上記各実施例と同様の効果を得ることができる。
【００４３】
また、本発明を鑑別部で鑑別した紙幣を一括して一時保管する一時保留部を持つ紙幣入出金機等に適用する場合は、一時保管した紙幣を鑑別部を経由して紙幣の金種および向きを鑑別し、その鑑別結果に基づいて紙幣を集積する金種別カセットを決定するとよい。
【図面の簡単な説明】
【００４４】
【図１】実施例１の紙幣入出金機を示す概略図
【図２】実施例１の紙幣入出金機を示すブロック図
【図３】実施例１の紙幣の向きを示す説明図
【図４】実施例１の紙幣集積処理を示すフローチャート
【図５】実施例２の紙幣集積処理を示すフローチャート
【符号の説明】
【００４５】
１    紙幣入出金機
２    接客部
３    搬送路
４    鑑別部
５    セレクタ
６、７、８  金種別カセット
９    制御部
１０  第１カウンタ
１１  第２カウンタ
【図１】
2005242685.tif 000003
【図２】
2005242685.tif 000004
【図３】
2005242685.tif 000005
【図４】
2005242685.tif 000006
【図５】
2005242685.tif 000007